(57)【特許請求の範囲】
【請求項１】
流体を圧縮して入れる密閉缶体と、該密閉缶体内の流体を外部へ導く噴出経路と、該噴出経路を閉鎖又は開放する開閉手段と、該噴出経路を開放した状態に維持する開放維持手段と、から成るスプレー缶の圧抜き構造であり、
前記噴出経路は、前記密閉缶体内に通じるパイプと、外部に通じる噴出口と、該パイプ及び該噴出口を連結する連結経路と、から構成され、
前記連結経路は、前記パイプを支持するパイプ支持部材の中空部と、該パイプ支持部材に挿入された移動部材の中空部と、から構成され、
前記開閉手段は、前記パイプ支持部材の中空部と前記移動部材の中空部との連結部を閉鎖するパッキンと、前記移動部材を押し下げてパッキンによる閉鎖を開放する押圧部材と、から構成され、
前記密閉缶体のかしめ突起部に前記押圧部材を挟むようにガードが取り付けられ、
前記開放維持手段が、前記ガードの内側面に設けられた一対の下溝と、該一対の下溝の間に抜き差し自在に係合可能なプレートと、から構成されており、
前記押圧部材を押し下げた状態で、前記プレートを前記下溝間に差し入れて該プレートの下側で該押圧部材を係合することによって、前記噴出経路を開放した状態に維持して前記密閉缶体内の圧力を外部へ抜くことを特徴としたスプレー缶の圧抜き構造。
【請求項２】
前記ガードの内側面に一対の上溝が設けられており、該一対の上溝の間に前記プレートを差し入れることにより前記押圧部材の上方を覆って前記噴出経路を開放できない状態に維持し得る請求項１記載のスプレー缶の圧抜き構造。
【請求項３】
流体を圧縮して入れる密閉缶体と、該密閉缶体内の流体を外部へ導く噴出経路と、該噴出経路を閉鎖又は開放する開閉手段と、該噴出経路を開放した状態に維持する開放維持手段と、から成るスプレー缶の圧抜き構造であり、
前記噴出経路は、前記密閉缶体内に通じるパイプと、外部に通じる噴出口と、該パイプ及び該噴出口を連結する連結経路と、から構成され、
前記連結経路は、前記パイプを支持するパイプ支持部材の中空部と、該パイプ支持部材に挿入された移動部材の中空部と、から構成され、
前記開閉手段は、前記パイプ支持部材の中空部と前記移動部材の中空部との連結部を閉鎖するパッキンと、前記移動部材を押し下げてパッキンによる閉鎖を開放する押圧部材と、から構成され、
前記密閉缶体のかしめ突起部に前記押圧部材を挟むようにガードが取り付けられ、
前記開放維持手段が、前記ガードに設けられた一対の下孔と、該一対の下孔の間に抜き差し自在に係合可能なピン材と、から構成されており、
前記押圧部材を押し下げた状態で、前記ピン材を前記下孔間に差し入れて該ピン材の下側で該押圧部材を係合することによって、前記噴出経路を開放した状態に維持して前記密閉缶体内の圧力を外部へ抜くことを特徴としたスプレー缶の圧抜き構造。
【請求項４】
前記ガードに一対の上孔が設けられており、該一対の上孔の間に前記ピン材を差し入れることにより前記押圧部材の上方を覆って前記噴出経路を開放できない状態に維持し得る請求項３記載のスプレー缶の圧抜き構造。
【発明の詳細な説明】
【技術分野】
【０００１】
本発明は、化粧品、塗料、又はプロパンガス等を圧縮充填しておいて噴出させるスプレー缶の圧抜き構造に関する。
【背景技術】
【０００２】
従来から、化粧品等の流体をスプレー缶に充填して販売している。図８に、このスプレー缶の一例として、化粧品のスプレー缶１０１を示す。スプレー缶１０１は、化粧品（流体）１０２を圧縮して入れる密閉缶体１０３と、この化粧品１０２を外部へ導く噴出経路１０４と、この噴出経路１０４を閉鎖又は開放する開閉手段１０５とを備えている。噴出経路１０４は、図９に示すように、密閉缶体１０３内の化粧品１０２内に通じるパイプ１０６と、外部に通じる噴出口１０７と、パイプ１０６及び噴出口１０７を連結する連結経路１０８とを備えている。連結経路１０８は、パイプ１０６を支持するパイプ支持部材１０９の中空部１１０と、パイプ支持部材１０９に挿入された移動部材１１１の中空部１１２とから構成される。開閉手段１０５は、中空部１１０と中空部１１２との連結部を閉鎖するパッキン１１３と、移動部材１１１を押し下げてパッキン１１３による閉鎖を開放する押圧部材１１４とから構成されている。このスプレー缶１０１は、パッキン１１３によって噴出経路１０４を閉鎖して密閉する一方で、使用時には、図１０に示すように、押圧部材１１４を指１１５で押し下げてパッキン１１３を変形させ、噴出経路１０４を開放して化粧品１０２を外部へ噴出させることができる。
【０００３】
このようなスプレー缶１０１は、廃棄する場合には、多少残っているガスの暴発を防止するために、押圧部材１１４を指１１５で押し下げて化粧品１０２を殆ど全て噴出させることにより、密閉缶体１０３内の圧力を抜いて外部圧力と略同じにしていた。しかし、このようにして圧力を抜くには時間がかかった。また、密閉缶体１０３に孔を開けることによって密閉缶体１０３内の圧力を抜くこともあった。しかし、この場合には、工具を使用して困難な作業を行う必要があり、専用装置を使用する場合にはコストが必要となった。
【発明の開示】
【発明が解決しようとする課題】
【０００４】
そこで、本発明者は、スプレー缶の圧抜き構造に関して、さらに鋭意研究を重ねた結果、本発明に至ったのである。すなわち、本発明は、使用済のスプレー缶を廃棄する際に、スプレー缶の内圧を、容易、迅速かつ安全に抜くようにすることを目的とする。
【課題を解決するための手段】
【０００５】
本発明は、流体を圧縮して入れる密閉缶体と、該密閉缶体内の流体を外部へ導く噴出経路と、該噴出経路を閉鎖又は開放する開閉手段と、該噴出経路を開放した状態に維持する開放維持手段と、から成るスプレー缶の圧抜き構造であり、
前記噴出経路は、前記密閉缶体内に通じるパイプと、外部に通じる噴出口と、該パイプ及び該噴出口を連結する連結経路と、から構成され、
前記連結経路は、前記パイプを支持するパイプ支持部材の中空部と、該パイプ支持部材に挿入された移動部材の中空部と、から構成され、
前記開閉手段は、前記パイプ支持部材の中空部と前記移動部材の中空部との連結部を閉鎖するパッキンと、前記移動部材を押し下げてパッキンによる閉鎖を開放する押圧部材と、から構成され、
前記密閉缶体のかしめ突起部に前記押圧部材を挟むようにガードが取り付けられ、
前記開放維持手段が、前記ガードの内側面に設けられた一対の下溝と、該一対の下溝の間に抜き差し自在に係合可能なプレートと、から構成されており、
前記押圧部材を押し下げた状態で、前記プレートを前記下溝間に差し入れて該プレートの下側で該押圧部材を係合することによって、前記噴出経路を開放した状態に維持して前記密閉缶体内の圧力を外部へ抜くことを特徴としている。
【０００６】
また、本発明は、前記ガードの内側面に一対の上溝が設けられており、該一対の上溝の間に前記プレートを差し入れることにより前記押圧部材の上方を覆って前記噴出経路を開放できない状態に維持し得ることを特徴とする。
【０００７】
また、本発明は、流体を圧縮して入れる密閉缶体と、該密閉缶体内の流体を外部へ導く噴出経路と、該噴出経路を閉鎖又は開放する開閉手段と、該噴出経路を開放した状態に維持する開放維持手段と、から成るスプレー缶の圧抜き構造であり、
前記噴出経路は、前記密閉缶体内に通じるパイプと、外部に通じる噴出口と、該パイプ及び該噴出口を連結する連結経路と、から構成され、
前記連結経路は、前記パイプを支持するパイプ支持部材の中空部と、該パイプ支持部材に挿入された移動部材の中空部と、から構成され、
前記開閉手段は、前記パイプ支持部材の中空部と前記移動部材の中空部との連結部を閉鎖するパッキンと、前記移動部材を押し下げてパッキンによる閉鎖を開放する押圧部材と、から構成され、
前記密閉缶体のかしめ突起部に前記押圧部材を挟むようにガードが取り付けられ、
前記開放維持手段が、前記ガードに設けられた一対の下孔と、該一対の下孔の間に抜き差し自在に係合可能なピン材と、から構成されており、
前記押圧部材を押し下げた状態で、前記ピン材を前記下孔間に差し入れて該ピン材の下側で該押圧部材を係合することによって、前記噴出経路を開放した状態に維持して前記密閉缶体内の圧力を外部へ抜くことを特徴とする。
【０００８】
また、本発明は、前記ガードに一対の上孔が設けられており、該一対の上孔の間に前記ピン材を差し入れることにより前記押圧部材の上方を覆って前記噴出経路を開放できない状態に維持し得ることを特徴とする。
【発明の効果】
【０００９】
開放維持手段を備える本発明のスプレー缶の圧抜き構造によれば、噴出経路が開放した状態で維持できる。このため、スプレー缶を廃棄する際には、噴出経路が開放した状態に維持して放置するのみで圧力を抜くことができる。
【００１０】
しかも、この開放維持手段が、ガードに設けられた一対の下溝又は下孔と、これら一対の下溝又は下孔の間に差し入れ可能なプレート又はピン材と、から構成されているので、押圧部材を押し下げてプレート又はピン材を一対の下溝又は下孔の間に差し入れるだけで、噴出経路を開放した状態に維持することができる。また、かしめ突起を有する従来の密閉缶体に適用できるので、ガード及びプレート又はピン材を用意しさえすれば、従来の密閉缶体に対する圧抜き作業を行うことができる。
【００１１】
また、開閉手段が噴出経路を開放できない状態に維持するロック手段を備えた本発明のスプレー缶の圧抜き構造によれば、このロック手段を解除しない限り、化粧品を噴出することができないので、スプレー缶のキャップを不要にすることができ、スプレー缶全体の構成がコンパクトになり、コストの低減を図ることができる。
【発明を実施するための最良の形態】
【００１２】
まず、図１〜図４を参照しながら、従来の圧抜き構造を備えたスプレー缶について説明し、その後、図５〜図７を参照しながら、本願発明に係るスプレー缶の圧抜き構造について説明する。
【００１３】
図１及び図２に示す、スプレー缶２００は、ヘアトリートメント等の化粧品（流体）を圧縮して入れる密閉缶体１４と、密閉缶体１４内の化粧品を外部へ導く噴出経路１６と、噴出経路１６を閉鎖又は開放する開閉手段１８と、噴出経路１６を開放した状態に維持する開放維持手段２０２とを備えている。開放維持手段２０２がスプレー缶の圧抜き構造として機能する。
【００１４】
噴出経路１６は、密閉缶体１４内の化粧品内に通じるパイプ２２と、外部に通じる噴出口２４と、パイプ２２及び噴出口２４を連結する連結経路２６とを備えている。連結経路２６は、パイプ２２を支持するパイプ支持部材２８の中空部３０と、パイプ支持部材２８に挿入された移動部材３２の中空部３４とから構成される。開閉手段１８は、中空部３０と中空部３４との連結部を閉鎖するパッキン３６と、移動部材３２を押し下げてパッキン３６による閉鎖を開放する押圧部材３８とから構成されている。
【００１５】
開放維持手段２０２は、移動部材３２のまわりに回動可能な押圧部材３８に設けられた２個の凸部２０４と、密閉缶体１４に設けられた２個の爪部２０６とから構成されている。
【００１６】
このスプレー缶２００は、化粧品用等として通常に使用する場合には、押圧部材３８を押圧して移動部材３２を下へ移動させることにより、移動部材３２に係合されているパッキン３６が変形し、中空部３０と中空部３４とが通じることとなる。中空部３０と中空部３４とが通じることにより、密閉缶体１４内の圧力によって、化粧品がパイプ２２から中空部３０及び３４を通って噴出口２４から噴出する。
【００１７】
次に、スプレー缶２００が使用済となり、スプレー缶２００を廃棄する場合、押圧部材３８を９０°回動させ、押圧部材を押圧して移動部材３２を下へ移動させた状態で、図２（ａ）に示すように、凸部２０４を爪部２０６の下に係合させる。凸部２０４を爪部２０６の下に係合させることにより、図２（ｂ）に示すように、パッキン３６が変形して中空部３０と中空部３４とが通じる状態が維持される。中空部３０と中空部３４とが通じる状態が維持されることにより、押圧部材３８から手を離して放置しておいても、化粧品がパイプ２２から中空部３０及び３４を通って噴出口２４から噴出し続け、密閉缶体１４内の圧力が自動的に抜かれていく。
【００１８】
このようにして化粧品を密閉缶体１４から抜くことにより、密閉缶体１４内の圧力が減少して略大気圧と同じになる。圧力が略大気圧と同じになった状態でスプレー缶２００を廃棄処分する。
【００１９】
また、図３に示すスプレー缶３００は、押圧部材３８が密閉缶体１４に対して回動可能に構成されており、押圧部材３８は凸部３０２を備え、密閉缶体１４は爪部３０４を備えている。このスプレー缶３００は、販売時には、図３（ａ）及び（ｂ）に示すように凸部３０２が爪部３０４の上側に係合されて止められ、押圧部材３８を下へ移動させて化粧品を噴出することができない状態となっている。即ち、凸部３０２及び爪部３０４によって、噴出経路１６を開放できない状態に維持するロック手段を構成している。押圧部材３８を回動させてロック手段を解除しない限り、化粧品を噴出することができないので、スプレー缶のキャップが不要となる。
【００２０】
化粧品を噴出させる場合には、図３（ｃ）に示すように、押圧部材３８を略９０°回動させて凸部３０２が爪部３０４に干渉しない状態とし、押圧部材３８を下へ移動させて化粧品を噴出することができる。また、廃棄時には、押圧部材３８を下へ移動させてから略９０°回動させて凸部３０２を爪部３０４の下側に係合して止めることによって、噴出経路１６を開放した状態に維持することができ、化粧品が噴出する状態に維持できる。
【００２１】
なお、凸部３０２の上部に切断可能な突起を設け、廃棄時に押圧部材３８を下へ移動させて回動させる際、この突起を切断して凸部３０２を爪部３０４の下側に係合するようにしても良い。このことで、スプレー缶の廃棄時以外に、押下げた押圧部材３８が回動して凸部３０２が爪部３０４の下側に係合してしまい、押圧部材３８を上へ戻せなくなることを防止することができる。また、押圧部材３８の上面に、コインを利用して押圧部材３８を回動させるためのコイン溝を設けても良い。また、図３では、爪部３０４を密閉缶体１４と一体に設けているが、密閉缶体１４とは別体に作成した爪部３０４を、密閉缶体１４の上部に圧入等によって取り付けても良い。
【００２２】
また、図４に示すスプレー缶の圧抜き構造３１０は、密閉缶体１４に対して回動可能な押圧部材３８の噴出口２４に凸部３１８を設ける一方、押圧部材３８の周囲を囲むように、密閉缶体１４のかしめ突起部１５にガード３１２を取り付け、このガード３１２の内側に、ロック手段を構成する突起３１４と、開放維持手段を構成する窓部３１６とを設けている。かしめ突起部１５は、従来の密閉缶体のかしめ突起を利用することができ、このかしめ突起にガード３１２が着脱自在に取り付けられている。また、窓部３１６は、ガード３１２の外面に連通している。
【００２３】
このスプレー缶の圧抜き構造３１０は、販売時には、図４に示すように、凸部３１８が突起３１４の上側に係合されて、押圧部材３８を下へ移動させて化粧品を噴出することができない状態となっている。そして、化粧品を噴出させる場合には、押圧部材３８を回動させて凸部３１８を突起３１４から外し、押圧部材３８を下へ移動させて化粧品を噴出することができる。また、廃棄時には、押圧部材３８を下へ移動させてから回動させて凸部３１８を窓部３１６内に係合して止めることによって、噴出経路１６を開放した状態に維持することができ、化粧品が噴出する状態に維持できる。なお、押圧部材３８の上面にコイン溝を設け、コインによってのみ押圧部材３８を回動できるようにするのが好ましい。子供等が容易に回動できないので安全上好ましい。
【００２４】
このスプレー缶の圧抜き構造３１０は、かしめ突起を有する従来の密閉缶体に適用できるので、押圧部材３８及びガード３１２を用意しさえすれば、従来の密閉缶体に対して圧抜き作業を行うことができる。化粧品、塗料、プロパンガス等を圧縮充填した密閉缶体１４を、押圧部材３８等を取り付けていない状態で市場に提供し、手持ちの押圧部材３８及びガード３１２を密閉缶体１４に装着して使用し、圧抜き作業を行うことも可能である。このように密閉缶体１４単体で市場に提供する場合、誤噴射を防止するために予め密閉缶体１４の移動部材３２に弾性チューブ、キャップ等を取り付けておくことが好ましい。
【００２５】
次に、本願発明に係るスプレー缶の圧抜き構造について説明する。
【００２６】
図５に示すように、本実施形態のスプレー缶の圧抜き構造３４０は、押圧部材３８を挟むように密閉缶体１４のかしめ突起部１５にガード３４２を取り付け、このガード３４２の押圧部材３８に対向する内側面に、一対の上溝３４４と、開放維持手段を構成する一対の下溝３４６とを設け、これら一対の上溝３４４間、又は一対の下溝３４６間にプレート３４８を抜き差し可能に係合するように構成されている。このスプレー缶の圧抜き構造３４０は、販売時には、図５に示すように、プレート３４８が一対の上溝３４４間に係合され、押圧部材３８の上方を覆って押圧部材３８を下へ移動させて化粧品を噴出することができない状態となっている。
【００２７】
そして、化粧品を噴出させる場合には、プレート３４８を上溝３４４間から後方へ引き抜いて外し、押圧部材３８を下へ移動させて化粧品を噴出することができる。また、廃棄時には、押圧部材３８を下へ移動させてから、プレート３４８を下溝３４６間へ差し入れ、プレート３４８の下側に押圧部材３８を係合して止めることによって、噴出経路１６を開放した状態に維持することができ、化粧品が噴出する状態に維持できる。このスプレー缶の圧抜き構造３４０にあっても、かしめ突起を有する従来の密閉缶体に適用できるので、ガード３４２及びプレート３４８を用意しさえすれば、従来の密閉缶体に対する圧抜き作業を行うことができる。
【００２８】
なお、上溝３４４、下溝３４６の形成方向、即ち、プレート３４８の差込方向は、押圧部材３８の移動方向に対し垂直方向に限定されるものではなく、押圧部材３８を押下げ状態に維持できるのであれば、押圧部材３８の移動方向に対し平行方向に形成しても良く、斜め方向に形成しても良い。なお、一対の上溝３４４間又は一対の下溝３４６間にプレート３４８を抜き差し可能に係合する代わりに、ガード３４２の押圧部材３８に対向する内側面に、一対の上孔と開放維持手段を構成する一対の下孔とを設け、これら一対の上孔間又は一対の下孔間にピン材を抜き差し可能に係合しても良い。また、図５では、ガード３４２を密閉缶体１４の上方からかしめ突起部１５の外側に嵌合して取り付ける例を示しているが、ガード３４２を密閉缶体１４のかしめ突起部１５の内側に嵌合しても良く、また、ガード３４２を密閉缶体１４の側方からかしめ突起部１５の外側に嵌合しても良い。更にまた、密閉缶体１４の上部に外向きの爪部を設け、この爪部にガード３４２を着脱自在に係合させて取り付けても良く、密閉缶体１４の上部にガード３４２を螺着して取り付けても良い。
【００２９】
また、図６に示すように、スプレー缶の圧抜き構造３５０として、押圧部材３８を囲むように密閉缶体１４のかしめ突起部１５にガード３５２を取り付け、このガード３５２に設けた軸受け３５４に、押圧部材３８の一端部に設けた軸部３５６を係合することによって、押圧部材３８の他端部に設けたレバー３５７を操作して押圧部材３８を上下移動させるように構成しても良い。ガード３５２の上部には、開放維持手段として、折り曲げ可能な一対の折曲プレート３５８が設けられている。このスプレー缶の圧抜き構造３５０は、廃棄時には、レバー３５７を引いて押圧部材３８を下へ移動させてから、図６（ｂ）の鎖線で示すように、折曲プレート３５８を押圧部材３８側へ折り曲げることによって、折曲プレート３５８の下側に押圧部材３８を係合させる。このことで、押圧部材３８の押圧状態が維持され、噴出経路１６が開放されて化粧品が噴出する状態に維持できる。
【００３０】
また、図７に示すスプレー缶６００は、密閉缶体１４と、噴出経路１６と、開閉手段１８と、噴出経路１６の一部を破砕する破砕手段６０２と、密閉缶体１４のかしめ突起部１５に取り付けられるガード６０４と、このガード６０４に着脱自在に係止された梃子片６０６とを備えている。破砕手段６０２は、移動部材３２により構成され、移動部材３２を深く押し下げることによって、移動部材３２でパイプ支持部材２８を分離し破砕するように構成されている。パイプ支持部材２８の周囲には、分離しやすいようにＶ字断面の切り欠き４２が設けられている。また、移動部材３２の上部には押圧部材３８が取り付けられている。
【００３１】
ガード６０４の上部には、一対の溝部６０８が形成されており、各溝部６０８の溝縁部に一対の係止突起６１０が設けられている。これら係止突起６１０によって溝部６０８内に梃子片６０６が着脱自在に係止されている。また、ガード６０４の側方には、密閉缶体１４のかしめ突起部１５の内側との間に差し込み孔６１２を形成する側方溝部６１４が形成されている。この差し込み孔６１２内へ梃子片６０６を差し込むことによって、ガード６０４の側方に梃子片６０６を着脱自在に係止できるように構成されている。また、梃子片６０６の先端側はその厚みが小さくなっており、図７（ｂ）に示すように、移動部材３２を挿入可能な切り欠き部６１６が形成されている。
【００３２】
このスプレー缶６００は、販売時には、図７（ａ）及び（ｂ）に示すように、梃子片６０６が溝部６０８に係止され、押圧部材３８の上方を覆って押圧部材３８を下へ移動させて化粧品を噴出することができない状態となっている。そして、化粧品を噴出させる場合には、梃子片６０６を溝部６０８から外すことにより、押圧部材３８を下へ移動させて化粧品を噴出することができる。溝部６０８から外した梃子片６０６は、差し込み孔６１２内へ差し込んでガード６０４の側方に係止しておく。そして、廃棄時には、梃子片６０６を利用してガード６０４を密閉缶体１４から取り外すとともに、梃子片６０６の切り欠き部６１６を移動部材３２に嵌めて梃子の原理を利用して押圧部材３８を移動部材３２から取り外す。その後、密閉缶体１４を逆さにして露出させた移動部材３２を地面等に当てて密閉缶体１４に体重を掛けるなどして移動部材３２を押し込み、パイプ支持部材２８を切り欠き４２で破砕する。こうして、密閉缶体１４内の圧力によって化粧品が破砕部から中空部３０に流入し外部へ噴出する。
【００３３】
その他、本発明の技術的範囲には、その趣旨を逸脱しない範囲で当業者の知識に基づき種々なる改良、修正、変形を加えた態様も含まれる。また、同一の作用又は効果が生じる範囲内で、いずれかの発明特定事項を他の技術に置換した形態で実施しても良い。
【００３４】
例えば、密閉缶体は化粧品の容器、ガスボンベ以外のものであっても良い。また、押圧部材、ガード、キャップの形状についても上記実施形態に限定されるものではなく、例えば、押圧部材を熊の頭部の形状にするなど、動物、植物等を模した形状に形成しても良い。更にまた、上記実施形態では、スプレー噴射構造として、バネの付勢力に抗して移動部材３２を押し下げてパイプ支持部材２８の中空部３０と移動部材３２の中空部３４との連結部を閉鎖しているパッキン３６を曲げ変形させることによって、これら中空部３０と中空部３４とを連通させて化粧品等を噴射させるタイプのスプレー噴射構造を例示しているが、本発明は勿論これに限定されるものではなく、上方へ付勢された移動部材を押し下げることによって、それまで閉鎖されていた噴射経路の一部分又は複数部分を開放させて化粧品等を噴射させることができる噴射構造であれば、各種のスプレー噴射構造を用いることができる。移動部材の付勢手段についても、コイルバネに限定されるものではなく、例えば、板バネ、空気バネ等を利用することができる。
【図面の簡単な説明】
【００３５】
【図１】従来の圧抜き構造を備えたスプレー缶を示す図であり、同図（ａ）は平面図であり、同図（ｂ）は一部正面断面図である。
【図２】図１のスプレー缶の使用状態を示す図であり、（ａ）は平面図であり、（ｂ）は一部正面断面図である。
【図３】従来の他の圧抜き構造を備えたスプレー缶を示す図であり、（ａ）は平面図であり、（ｂ）は一部正面断面図であり、（ｃ）は平面図である。
【図４】従来の更に他のスプレー缶の圧抜き構造を示す一部正面断面図である。
【図５】本発明に係るスプレー缶の圧抜き構造の実施形態を示す一部正面断面図である。
【図６】スプレー缶の圧抜き構造を示す図であり、（ａ）は一部正面断面図であり、（ｂ）は平面図である。
【図７】スプレー缶の圧抜き構造を示す図であり、（ａ）は一部正面断面図であり、（ｂ）は平面図である。
【図８】従来のスプレー缶を示す正面断面図である。
【図９】図８のスプレー缶の使用状態を示す一部正面断面図である。
【図１０】図８のスプレー缶の使用状態を示す一部正面断面図である。
【符号の説明】
【００３６】
３４０；スプレー缶の圧抜き構造
１４；密閉缶体
１５；密閉缶体のかしめ突起部
１６；噴出経路
１８；開閉手段
２２；パイプ
２４；噴出口
２６；連結経路
２８；パイプ支持部材
３０；パイプ支持部材の中空部
３２；移動部材
３４；移動部材の中空部
３６；パッキン
３８；押圧部材
３４２；ガード
３４４；上溝
３４６；下溝
３４８；プレート
【図１】
0003956319.tif 000002
【図２】
0003956319.tif 000003
【図３】
0003956319.tif 000004
【図４】
0003956319.tif 000005
【図５】
0003956319.tif 000006
【図６】
0003956319.tif 000007
【図７】
0003956319.tif 000008
【図８】
0003956319.tif 000009
【図９】
0003956319.tif 000010
【図１０】
0003956319.tif 000011